(57)【要約】  【課題】  対等な関係を有する複数の医療施設が保有する医用画像や検査結果等に関する医療データを、それぞれの医療施設において個別に保管すると共に、それらの医療施設において蓄積された医療情報を相互に利用することができる医療データ保管方法を提供する。  【解決手段】  この医療データ保管方法は、クライアント端末１４において、診断目的の撮影又は検査によって得られた医療データを、患者に関する情報と対応付けて第１の記録媒体の記録領域に記録するステップと、該医療データを記録した記録領域に関する情報と該患者に関する情報とをクライアント端末から管理サーバ２４に送信するステップと、管理サーバにおいて、受信された該記録領域に関する情報と該患者に関する情報とを第２の記録媒体に記録するステップとを具備する。【選択図】  図１
2005267551.tif 000002
【特許請求の範囲】
【請求項１】
複数の医療施設にそれぞれ設置された複数のクライアント端末と、データセンターに設置された管理サーバとを、ネットワークを介して接続することにより構成される医療データ保管システムにおいて用いられる医療データ保管方法であって、
クライアント端末において、診断目的の撮影又は検査によって得られた医療データを、患者に関する情報と対応付けて第１の記録媒体の記録領域に記録するステップと、
該医療データを記録した記録領域に関する情報と該患者に関する情報とを前記クライアント端末から前記管理サーバに送信するステップと、
前記管理サーバにおいて、受信された該記録領域に関する情報と該患者に関する情報とを第２の記録媒体に記録するステップと、
を具備する医療データ保管方法。
【請求項２】
第１の医療施設に設置されたクライアント端末において、第２の医療施設に保管されている医療データを検索するために、検索の対象となる患者に関する情報を前記管理サーバに送信するステップと、
前記管理サーバにおいて、該患者に関する情報に基づいて該医療データの記録領域に関する情報を得ることにより、前記第２の医療施設に対して該医療データの公開を求めるステップと、
該医療データの公開が許可された場合に、前記管理サーバにおいて、該医療データに対応付けられた公開制御情報を前記第１の医療施設に設置されたクライアント端末に対して許可状態に設定するステップと、
前記第１の医療施設に設置されたクライアント端末において、該医療データに対応付けられた公開制御情報を参照することにより、前記第２の医療施設に保管されている該医療データを直接又は前記管理サーバを介して取得するステップと、
をさらに具備する請求項１記載の医療データ保管方法。
【請求項３】
第１の医療施設に設置されたクライアント端末において、第２の医療施設に保管されている医療データを検索するために、検索の対象となる患者に関する情報を前記管理サーバに送信するステップと、
前記管理サーバにおいて、該患者に関する情報に基づいて該医療データの記録領域に関する情報を得ることにより、前記第２の医療施設に対して該医療データのアップロードを求めるステップと、
該医療データが前記管理サーバにアップロードされた場合に、前記管理サーバにおいて、該医療データを格納手段に格納するステップと、
前記第１の医療施設に設置されたクライアント端末において、前記格納手段から該医療データを取得するステップと、
をさらに具備する請求項１記載の医療データ保管方法。
【請求項４】
前記管理サーバにおいて、前記クライアント端末から送信された患者に関する情報に基づいて住民基本台帳のデータベースを検索することにより、対応する住民基本台帳番号を取得するステップと、
前記管理サーバにおいて、取得された住民基本台帳番号を医療データに対応付けて前記第２の記録媒体に記録するステップと、
をさらに具備する請求項１記載の医療データ保管方法。
【請求項５】
第１の医療施設に設置されたクライアント端末において、第２の医療施設に保管されている医療データを検索するために、検索の対象となる患者に関する情報を前記管理サーバに送信するステップと、
前記管理サーバにおいて、前記クライアント端末から送信された患者に関する情報に基づいて住民基本台帳のデータベースを検索することにより、対応する住民基本台帳番号を取得するステップと、
前記管理サーバにおいて、取得された住民基本台帳番号に基づいて、前記第２の記録媒体に記録されている住民基本台帳番号を検索することにより、対応する管理データを読み出すステップと、
前記第１の医療施設に設置されたクライアント端末において、前記管理サーバによって読み出された管理データに基づいて、前記第２の医療施設に保管されている医療データを直接又は前記管理サーバを介して取得するステップと、
をさらに具備する請求項４記載の医療データ保管方法。
【請求項６】
医療施設に設置され、医療データ保管システムのデータセンターに設置された管理サーバにネットワークを介して接続されるクライアント端末であって、
診断目的の撮影又は検査によって得られた医療データを、患者に関する情報と対応付けて記録媒体の記録領域に記録する記録制御手段と、
医療データを保管する際には、該医療データを記録した記録領域に関する情報と該患者に関する情報とを前記管理サーバに送信すると共に、他の医療施設に保管されている医療データを検索する際には、検索の対象となる患者に関する情報を前記管理サーバに送信する送信制御手段と、
前記他の医療施設に保管されている医療データを直接又は前記管理サーバを介して取得する検索制御手段と、
を具備するクライアント端末。
【請求項７】
医療データ保管システムのデータセンターに設置され、複数の医療施設にそれぞれ設置された複数のクライアント端末とネットワークを介して接続される管理サーバであって、
いずれかの医療施設において得られた医療データを保管する際には、前記医療施設において医療データを記録した記録媒体の記録領域に関する情報と患者に関する情報とを前記医療施設に設置されたクライアント端末から受信し、第１の医療施設に設置されたクライアント端末から第２の医療施設に保管されている医療データを検索する際には、検索の対象となる患者に関する情報を前記第１の医療施設に設置されたクライアント端末から受信する受信制御手段と、
医療データを保管する際に、前記受信制御手段によって受信された該記録領域に関する情報と該患者に関する情報とを第２の記録媒体に記録する医療データ管理手段と、
医療データを検索する際に、該患者に関する情報に基づいて該医療データの記録領域に関する情報を得ることにより、第２の医療施設に設置されたクライアント端末に対して該医療データの公開又はアップロードを求める検索制御手段と、
を具備する管理サーバ。
【発明の詳細な説明】
【技術分野】
【０００１】
本発明は、複数の医療施設が保有する医用画像や検査結果等に関する医療データを保管する医療データ保管方法に関する。さらに、本発明は、そのような医療データ保管方法において用いられるクライアント端末、及び、管理サーバに関する。
【背景技術】
【０００２】
従来より、開業医や病院等の医療施設においては、放射線（Ｘ線、α線、β線、γ線、電子線、紫外線等）、超音波、ＭＲ（磁気共鳴）等を利用した医用画像撮影装置を用いて、医用画像が撮影されている。また、血液検査や心電図検査等により、様々な検査結果が得られている。このような医用画像や検査結果等の医療情報は、患者の病状の変化を知るために保管しておく必要があり、法律によっても所定期間の保管が義務付けられている。従って、医療施設においては、大量の医療情報を保管する必要が生じる。従来は、医用画像が撮影されたフィルムや、検査結果が記入された用紙等を保管していたので、保管用スペースの確保や、管理作業及び検索作業が、医療施設にとって大きな負担となっていた。
【０００３】
一方、近年においては、医用画像撮影装置や検査装置のディジタル化が進んでおり、医用画像や検査結果を医療データとして光ディスクや磁気ディスク等に記録することにより、保管用スペースを削減したり、管理作業及び検索作業を省力化することが可能となる。しかしながら、個々の医療施設において蓄積された医療情報を他の医療施設から参照することはできないので、同一の患者が複数の医療施設において治療を受けている場合等において、医療情報の相互活用が図られていなかった。
【０００４】
関連する技術として、下記の特許文献１には、レセプト中心の業務に完全に対応すると共に、医薬品添付文書データベースを活用して、処方内容の安全性チェック機能、薬暦管理機能、服薬指導機能までをトータル的にサポートできる調剤薬局支援システムが開示されている。この調剤薬局支援システムは、スタンドアロンタイプ、ピアツーピアタイプ、ネットワークタイプの内の任意のハードウェア構成による調剤薬局支援システムであって、対象業務に対応するソフトウェア構成として、患者情報、処方情報等を入力するための処方入力部と、処方情報を修正するための処方修正部と、レセプト業務を行うためのレセプト業務部と、日報・月報処理部と、マスタ登録部と、システム管理部等とが設けられ、処方箋の処方内容をデータベースの医療品添付文書の情報を活用しながら自動チェックし、安全性のチェックが行われた処方内容に基づいて調剤された薬剤が患者に対して提供される。
【０００５】
ここで、「ピアツーピアタイプ」とは、専用のサーバを用いることなく、接続されたコンピュータ同士がコミュニケーションを行うネットワーク形態をいうが、特許文献１に開示されている調剤薬局支援システムにおいては、１台のコンピュータがサーバ兼クライアント機として用いられるので、複数のクライアント機が対等な関係を有するようなシステムを構築することはできない。
【特許文献１】特開２０００−１６３４９８号公報（第１、４頁、図２）
【発明の開示】
【発明が解決しようとする課題】
【０００６】
そこで、上記の点に鑑み、本発明は、対等な関係を有する複数の医療施設が保有する医用画像や検査結果等に関する医療データを、それぞれの医療施設において個別に保管すると共に、それらの医療施設において蓄積された医療情報を相互に利用することができる医療データ保管方法を提供することを目的とする。さらに、本発明は、そのような医療データ保管方法において用いられるクライアント端末、及び、管理サーバを提供することを目的とする。
【課題を解決するための手段】
【０００７】
上記課題を解決するため、本発明に係る医療データ保管方法は、複数の医療施設にそれぞれ設置された複数のクライアント端末と、データセンターに設置された管理サーバとを、ネットワークを介して接続することにより構成される医療データ保管システムにおいて用いられる医療データ保管方法であって、クライアント端末において、診断目的の撮影又は検査によって得られた医療データを、患者に関する情報と対応付けて第１の記録媒体の記録領域に記録するステップと、該医療データを記録した記録領域に関する情報と該患者に関する情報とをクライアント端末から管理サーバに送信するステップと、管理サーバにおいて、受信された該記録領域に関する情報と該患者に関する情報とを第２の記録媒体に記録するステップとを具備する。
【０００８】
また、本発明に係るクライアント端末は、医療施設に設置され、医療データ保管システムのデータセンターに設置された管理サーバにネットワークを介して接続されるクライアント端末であって、診断目的の撮影又は検査によって得られた医療データを、患者に関する情報と対応付けて記録媒体の記録領域に記録する記録制御手段と、医療データを保管する際には、該医療データを記録した記録領域に関する情報と該患者に関する情報とを管理サーバに送信すると共に、他の医療施設に保管されている医療データを検索する際には、検索の対象となる患者に関する情報を管理サーバに送信する送信制御手段と、他の医療施設に保管されている医療データを直接又は管理サーバを介して取得する検索制御手段とを具備する。
【０００９】
さらに、本発明に係る管理サーバは、医療データ保管システムのデータセンターに設置され、複数の医療施設にそれぞれ設置された複数のクライアント端末とネットワークを介して接続される管理サーバであって、いずれかの医療施設において得られた医療データを保管する際には、医療施設において医療データを記録した記録媒体の記録領域に関する情報と患者に関する情報とを医療施設に設置されたクライアント端末から受信し、第１の医療施設に設置されたクライアント端末から第２の医療施設に保管されている医療データを検索する際には、検索の対象となる患者に関する情報を第１の医療施設に設置されたクライアント端末から受信する受信制御手段と、医療データを保管する際に、受信制御手段によって受信された該記録領域に関する情報と該患者に関する情報とを第２の記録媒体に記録する医療データ管理手段と、医療データを検索する際に、該患者に関する情報に基づいて該医療データの記録領域に関する情報を得ることにより、第２の医療施設に設置されたクライアント端末に対して該医療データの公開又はアップロードを求める検索制御手段とを具備する。
【発明の効果】
【００１０】
本発明によれば、管理サーバが、個々の医療施設において医療データを記録した記録領域に関する情報と患者に関する情報とを管理することにより、対等な関係を有する複数の医療施設が保有する医用画像や検査結果等に関する医療データを、それぞれの医療施設において個別に保管すると共に、それらの医療施設において蓄積された医療情報を相互に利用することができる。
【発明を実施するための最良の形態】
【００１１】
以下、本発明を実施するための最良の形態について、図面を参照しながら詳しく説明する。なお、同一の構成要素には同一の参照番号を付して、説明を省略する。
図１は、本発明の一実施形態に係るクライアント端末及び管理サーバを含む医療データ保管システムを示す概略図である。図１に示すように、この医療データ保管システムは、医療施設の例として複数の診療所１０が、専用回線又は公衆電話交換網（ＰＳＴＮ）又はインターネット等のネットワークを介して、データセンター２０に接続されることにより構成される。さらに、データセンター２０が、ネットワークを介して、住民基本台帳データベース（台帳ＤＢ）３１を管理する住民基本台帳サーバ３０に接続されるようにしても良い。
【００１２】
各々の診療所１０には、放射線画像撮影装置や超音波診断装置等の各種の撮影モダリティ１１と、心電図検査装置等の各種の検査装置１２と、撮影モダリティ１１を制御すると共に撮影モダリティ１１によって得られた画像データ及び画像付帯情報に基づいて画像を表示する画像表示端末１３と、撮影モダリティ１１又は検査装置１２又は画像表示端末１３等から、医用画像を表す画像データや検査結果を表す検査データ等の各種の医療データを入力して、データセンター２０と連携しながら医療データを記録するクライアント端末１４と、医療データを蓄積した医療データベース（ＤＢ）１５が記録されているハードディスク等の記録媒体と、不正アクセスを防止するためのファイアウォール（ＦＷ）１６と、医用画像をフィルム等にプリントアウトするためのプリンタ１７等とが、ローカルエリアネットワーク（ＬＡＮ）を介して互いに接続されている。
【００１３】
データセンター２０には、クライアント端末１４からのアクセスに対して認証を行う認証サーバ２１と、認証に必要なユーザ情報を記録する認証データベース（ＤＢ）２２と、不正アクセスを防止するためのファイアウォール（ＦＷ）２３ａ及び２３ｂと、クライアント端末１４と連携しながら医療データを管理する管理サーバ２４と、医療データを管理するために必要な管理データベース（ＤＢ）２５が記録されているハードディスク等の記録媒体とが設置されている。本実施形態においては、クライアント端末１４と管理サーバ２４とが連携しながら医療データを保管することにより、１つの医療施設において蓄積された医療データに、他の医療施設からもアクセスできるようにしている。なお、図１においては、データセンター２０の内部に認証サーバ２１が設置されているが、認証サーバ２１は、データセンター２０の外部に設置されるようにしても良い。
【００１４】
画像表示端末１３は、撮影モダリティ１１を制御すると共に、撮影モダリティ１１から画像データ及び画像付帯情報を受信して画像付帯情報を患者属性情報に対応付け、画像データ及び患者属性情報を一時的に格納する。画像表示端末１３においては、画像データに対して画像処理を施したり、画像データ及び患者属性情報に基づいて診断用の画像をディスプレイ等に表示することができる。クライアント端末１４は、データセンター２０と連携しながら、このようにして生成された医療データを医療データベース１５の記録媒体に記録する。
【００１５】
図２は、本発明の一実施形態に係るクライアント端末の構成を示すブロック図である。クライアント端末１４は、各種の命令等を入力するために用いられるキーボードやマウス等の入力部４１と、操作用の画像等を表示するＣＲＴ又はＬＣＤディスプレイ等の表示部４２と、インタフェース５０を介して入力部４１及び表示部４２が接続された中央演算装置（以下、ＣＰＵという）４３と、入力された画像データ及び患者属性情報を一時的に記憶するメモリ４４と、ハードディスク４５と、ハードディスク４５におけるデータの書込み及び読出しを制御するハードディスク制御部４６と、ＤＶＤ（ディジタル・バーサタイル・ディスク）に対してデータの書込み及び読出しを行うＤＶＤドライブ４７と、ＬＡＮに接続するためのネットワークインタフェース４８と、医療データベース（ＤＢ）１５が記録されているハードディスク等を制御するためのインタフェース４９とを含んでいる。これらの部分４３〜４９は、バスラインを介して相互に接続されている。
【００１６】
メモリ４４は、撮影モダリティ１１又は検査装置１２又は画像表示端末１３等から入力された医療データ及び患者属性情報を一時的に記憶する。ハードディスク４５には、ＣＰＵ４３に動作を行わせるためのソフトウェア（プログラム）が記録されている。なお、プログラムを記録する記録媒体としては、内蔵のハードディスク４３、又は、ＤＶＤドライブ４７に挿入されるＤＶＤ−ＲＯＭの他に、外付けハードディスク、フレキシブルディスク、ＭＯ、ＭＴ、ＲＡＭ、又は、ＣＤ−ＲＯＭ等を用いることもできる。
【００１７】
次に、ＣＰＵ４３とソフトウェア（プログラム）とによって構成される機能ブロック４３ａ〜４３ｄについて説明する。
クライアント端末１４に医療データが入力されると、公開制御部４３ｂが、該医療データの公開の許可又は不許可を表す公開制御フラグを設定して医療データに付加し、記録制御部４３ａが、医療データベース１５が記録されているハードディスク等の記録媒体に、該医療データを公開制御フラグと共に記録する。あるいは、公開制御部４３ｂが、特定の医療施設にのみアクセスを許可するように、公開制御フラグを設定しても良い。次に、送信制御部４３ｃが、データセンターに対してアクセスを開始する。
【００１８】
データセンターにおいては、個人情報の漏洩や管理データの改竄等を防止するために、管理データへのアクセスに認証を要求し、認証により許可されるまでは、管理データへのアクセスを禁止している。送信制御部４３ｃが、データセンターの認証サーバ２１（図１）に対してアクセス権を照会すると、認証サーバ２１は認証を開始する。アクセス権が認められた後に、送信制御部４３ｃが、データセンターの管理サーバ２４（図１）に、医療データベース１５における該医療データの保存場所（記録領域）に関する情報と、該医療データに関する患者属性情報とを送信する。
【００１９】
また、検索制御部４３ｄは、当該医療施設又は他の医療施設において記録されている医療データの検索動作を制御する。当該医療施設において保管されている医療データを検索する場合には、何らかの不具合によりデータセンターへのアクセスができなくても問題はない。一方、他の医療施設において保管されている医療データを検索する場合には、送信制御部４３ｃが、アクセス権が認められた後に、検索の対象となる患者属性情報をデータセンターの管理サーバ２４に送信する。管理サーバ２４は、管理データベース２５（図１）を検索することにより、その患者の医療データを保管している他の医療施設のクライアント端末についての情報を得て、そのクライアント端末に対して、該医療データの公開、又は、データセンターへのアップロードを求める。これにより、検索制御部４３ｄは、他の医療施設に保管されている医療データを、直接又は管理サーバ２４を介して取得することができる。
【００２０】
なお、本実施形態においては、記録制御部４３ａ、公開制御部４３ｂ、送信制御部４３ｃ、検索制御部４３ｄを、ＣＰＵとソフトウェアで構成したが、ディジタル回路やアナログ回路で構成しても良い。
【００２１】
図３は、本発明の一実施形態に係る管理サーバの構成を示すブロック図である。管理サーバ２４は、各種の命令等を入力するために用いられる入力部６１と、操作用の画像等を表示する表示部６２と、インタフェース７０を介して入力部６１及び表示部６２が接続された中央演算装置（以下、ＣＰＵという）６３と、入力したデータを一時的に記憶するメモリ６４と、ハードディスク６５と、ハードディスク６５におけるデータの書込み及び読出しを制御するハードディスク制御部６６と、データの格納及び高速読出しが可能なキャッシュ格納部６７と、ＬＡＮに接続するためのネットワークインタフェース６８と、管理データベース（ＤＢ）２５が記録されているハードディスク等を制御するためのインタフェース６９とを含んでいる。これらの部分６３〜６９は、バスラインを介して相互に接続されている。
【００２２】
メモリ６４は、クライアント端末から受信した、医療データベース１５（図１）における医療データの保存場所（記録領域）に関する情報と、その医療データに関する患者属性情報とを一時的に記憶する。ハードディスク６５には、ＣＰＵ６３に動作を行わせるためのソフトウェア（プログラム）が記録されている。なお、プログラムを記録する記録媒体としては、内蔵のハードディスク６５の他に、外付けハードディスク、フレキシブルディスク、ＭＯ、ＭＴ、ＲＡＭ、ＣＤ−ＲＯＭ、又は、ＤＶＤ−ＲＯＭ等を用いることもできる。
【００２３】
次に、ＣＰＵ６３とソフトウェア（プログラム）とによって構成される機能ブロック６３ａ〜６３ｃについて説明する。
医療データを保管する際には、受信制御部６３ａが、医療データベース１５（図１）におけるその医療データの保存場所に関する情報と、その医療データに関する患者属性情報とを、クライアント端末から受信する。医療データ管理部６３ｂは、受信制御部６３ａによって受信された情報を、管理データベース（ＤＢ）２５の記録媒体に記録する。また、検索制御部６３ｃは、該医療データに対してアクセスが可能か否かを表す公開制御フラグを設定し、該医療データに対応付けて記録する。
【００２４】
第１の医療施設に設置されたクライアント端末から、第２の医療施設に保管されている医療データを検索する際には、第１の医療施設に設置されたクライアント端末から管理サーバ２４に、検索の対象となる患者の患者属性情報を送信する。管理サーバ２４の受信制御部６３ａが、検索の対象となる患者の患者属性情報を受信すると、検索制御部６３ｃが、管理データベース２５に記録されている管理データの内から、受信制御部６３ａが受信した患者属性情報に対応する管理データを検索することにより、その患者の医療データの保存場所に関する情報を得て、第２のクライアント端末に対して、該医療データの公開又はデータセンターへのアップロードを求める。
【００２５】
該医療データの公開が許可された場合には、検索制御部６３ｃが、第１の医療施設に設置されたクライアント端末に対して公開制御フラグを許可状態に設定する。第１のクライアント端末は、データセンターに記録されている公開制御フラグを参照して、第２のクライアント端末から該医療データを取得する。その際、第１のクライアント端末は、該医療データを第１のクライアント端末から直接取得しても良いし、該医療データをデータセンター内の医療データ保存領域にコピーしてから取得しても良い。ここで、データセンター内の医療データ保存領域は、管理サーバ２４内のハードディスク６５等において設けられており、個々の医療施設（クライアント端末）単位でアクセス権を制御できる記録領域である。
【００２６】
あるいは、該医療データがアップロードされた場合には、検索制御部６３ｃが、該医療データをキャッシュ格納部６７に格納する。キャッシュ格納部６７は、並列構造のディスク又は半導体メモリによって構成され、通常のハードディスクや記憶メディアよりも高速読出しが可能であり、再度のアクセスに対して高速な応答を実現している。なお、医療施設（クライアント端末）側にキャッシュ格納部を設けても良い。
【００２７】
また、ある医療施設から問い合わせに応じて公開された医療データを、アクセス権を持つ医療施設が参照した場合において、その医療施設が該医療データに関する患者の診療履歴を有している場合には、その医療施設のクライアント端末が、その患者の患者属性情報を管理サーバ２４に送信し、管理サーバ２４の検索制御部６３ｃが、その患者属性情報を管理データベース２５に記録することにより登録を行うようにしても良い。その結果、図４の（Ａ）に示すように、患者属性情報は、１人の患者に対して複数の患者ＩＤ番号を有するようになる。検索制御部６３ｃは、医療施設からの問い合わせに応答して管理データベース２５内の患者属性情報を検索する際に、１人の患者に対して複数の患者ＩＤ番号が登録されている場合には、検索すべき患者ＩＤ番号を、登録されている複数の患者ＩＤ番号と比較することにより管理サーバ２４の検索を行い、該医療データの保存場所に関する情報を得る。
【００２８】
さらに、図１に示すように、管理サーバ２４がネットワークを介して住民基本台帳サーバ３０に接続されている場合には、管理サーバ２４の検索制御部６３ｃが、住民基本台帳サーバ３０と協働して台帳データベース３１の検索を行い、患者属性情報に対応する住民基本台帳番号を取得して、その住民基本台帳番号を管理データベース２５に記録することにより登録を行う。その結果、図４の（Ｂ）に示すように、患者属性情報は、住民基本台帳番号を有するようになる。医療施設から患者属性情報による問い合わせが行われて医療データを検索する際には、管理サーバ２４の検索制御部６３ｃが、住民基本台帳サーバ３０と協働して台帳データベース３１の検索を行い、その患者属性情報に対応する住民基本台帳番号を取得して、検索すべき住民基本台帳番号を管理データベース２５に記録されている住民基本台帳番号と比較することにより管理サーバ２４の検索を行い、該医療データの保存場所に関する情報を得る。
【００２９】
なお、本実施形態においては、受信制御部６３ａ、医療データ管理部６３ｂ、検索制御部６３ｃを、ＣＰＵとソフトウェアで構成したが、ディジタル回路やアナログ回路で構成しても良い。
【００３０】
次に、本実施形態に係るクライアント端末及び管理サーバを含む医療データ保管システムの動作について、図１、図５、図６を参照しながら説明する。
図５は、医療データを保管する際における医療データ保管システムの動作の例を示すフローチャートである。
【００３１】
まず、ステップＳ１１において、診療所１０のクライアント端末１４が、画像表示端末１３等から医療データを入力し、メモリ等の格納手段に該医療データを格納する。次に、ステップＳ１２において、クライアント端末１４が、該医療データを、医療データベース１５が記録されている記録媒体に記録する。ステップＳ１３において、クライアント端末１４が、データセンター２０の認証サーバ２１１に対して、アクセス権を照会する。
【００３２】
アクセス権が認められた場合には、ステップＳ１４において、クライアント端末１４が、データセンターの管理サーバ２４に、医療データベース１５における該医療データの保存場所（記録領域）に関する情報と、該医療データに関する患者属性情報とを送信する。ステップＳ２１において、データセンター２０の管理サーバ２４が、受信された保存場所に関する情報と患者属性情報とを、管理データベース２５の記録媒体に記録する。
【００３３】
図６は、第１の医療施設に設置されたクライアント端末から、第２の医療施設に保管されている医療データを検索する際における、医療データ保管システムの動作の例を示すフローチャートである。
まず、ステップＳ３１において、オペレータが第１の医療施設に設置された第１のクライアント端末の入力部を操作する等して、検索の対象となる患者属性情報を入力する。次に、ステップＳ３２において、第１のクライアント端末が、データセンター２０の認証サーバ２１１に対して、アクセス権を照会する。
【００３４】
アクセス権が認められた場合には、ステップＳ３３において、第１のクライアント端末が、検索の対象となる患者属性情報を、データセンター２０の管理サーバ２４に送信する。ステップＳ４１において、管理サーバ２４が、管理データベース２５の記録媒体に記録されている管理データの内から、受信された患者属性情報１に対応する管理データを検索することにより、その患者の医療データの保存場所に関する情報を得る。
【００３５】
ステップＳ４２において、管理サーバ２４が、該医療データの保存場所に関する情報に基づいて、第２のクライアント端末に対し、該医療データの公開を要求する。ステップＳ５１において、第２のクライアント端末が、該医療データの公開を許可すると、ステップＳ４３において、管理サーバ２４が、第１のクライアント端末に対して公開制御フラグを許可状態に設定する。ステップＳ３４において、第１のクライアント端末が、データセンター２０に記録されている公開制御フラグを参照して、第２のクライアント端末から該医療データを直接又は管理サーバ２４を介して取得する。
【００３６】
図７は、第１の医療施設に設置されたクライアント端末から、第２の医療施設に保管されている医療データを検索する際における、医療データ保管システムの動作の別の例を示すフローチャートである。図６に示すのと同じステップに関しては、説明を省略する。
【００３７】
ステップＳ４４において、管理サーバ２４が、該医療データの保存場所に関する情報に基づいて、第２のクライアント端末に対して、該医療データのアップロードを要求する。ステップＳ５２において、第２のクライアント端末が、該医療データを管理サーバ２４にアップロードすると、ステップＳ４５において、管理サーバ２４が、受信された医療データをキャッシュ格納部に格納する。ステップＳ３５において、第１のクライアント端末が、キャッシュ格納部に格納されている医療データを取得する。
【産業上の利用可能性】
【００３８】
本発明は、複数の医療施設が保有する医用画像や検査結果等に関する医療データをデータセンターにおいて集中的に保管する医療データ保管システムにおいて利用することが可能である。
【図面の簡単な説明】
【００３９】
【図１】本発明の一実施形態に係るクライアント端末及び管理サーバを含む医療データ保管システムを示す概略図である。
【図２】本発明の一実施形態に係るクライアント端末の構成を示すブロック図である。
【図３】本発明の一実施形態に係る管理サーバの構成を示すブロック図である。
【図４】患者属性情報の構成例を示す図である。
【図５】医療データを保管する際における医療データ保管システムの動作の例を示すフローチャートである。
【図６】医療データを検索する際における医療データ保管システムの動作の例を示すフローチャートである。
【図７】医療データを検索する際における医療データ保管システムの動作の別の例を示すフローチャートである。
【符号の説明】
【００４０】
１０  診療所
１１  撮影モダリティ
１２  検査装置
１３  画像表示端末
１４  クライアント端末
１５  医療データベース（ＤＢ）
１６  ファイアウォール（ＦＷ）
１７  プリンタ
２０  データセンター
２１  認証サーバ
２２  認証データベース（ＤＢ）
２３ａ、２３ｂ  ファイアウォール（ＦＷ）
２４  管理サーバ
２５  管理データベース（ＤＢ）
３０  住民基本台帳サーバ
３１  住民基本台帳データベース（ＤＢ）
４１  入力部
４２  表示部
４３  中央演算装置（ＣＰＵ）
４３ａ  記録制御部
４３ｂ  公開制御部
４３ｃ  通信制御部
４３ｄ  検索制御部
４４  メモリ
４５  ハードディスク
４６  ハードディスク制御部
４７  ＤＶＤドライブ
４８  ネットワークインタフェース
４９、５０  インタフェース
６１  入力部
６２  表示部
６３  中央演算装置（ＣＰＵ）
６３ａ  受信制御部
６３ｂ  医療データ管理部
６３ｃ  検索制御部
６４  メモリ
６５  ハードディスク
６６  ハードディスク制御部
６７  キャッシュ格納部
６８  ネットワークインタフェース
６９、７０  インタフェース
【図１】
2005267551.tif 000003
【図２】
2005267551.tif 000004
【図３】
2005267551.tif 000005
【図４】
2005267551.tif 000006
【図５】
2005267551.tif 000007
【図６】
2005267551.tif 000008
【図７】
2005267551.tif 000009